(57)【特許請求の範囲】
【請求項１】
錠箱に備えた円筒状のハブを手動操作部材または電動機構によって回転させ、このハブの回転に連動させてデッドボルトを進退させ施解錠する扉用の施解錠装置において、
前記ハブは、円筒状のハブ基体と、このハブ基体の筒軸周り方向の外周囲に設けた第１ギア、第２ギアとで形成し、  
前記第１ギアは、所定の範囲で空転可能にハブ基体に取り付けると共に、前記電動機構の連動ギアに噛合させ、
前記第２ギアは、ハブ基体と一体回転するように取り付けると共に、前記デッドボルトを進退させるラックギアに噛合させたことを特徴とする扉用の施解錠装置。
【請求項２】
請求項１に記載した扉用の施解錠装置において、
前記ハブ基体の外周面に形成して筒軸方向に突出させた基体側突起と、前記第１ギアに形成してハブ基体の筒軸方向に突出させ、かつ、前記基体側突起に対して所定の回転角度で係合しまたは離間するギア側突起とで形成したクラッチ機構を設けたことを特徴とする扉用の施解錠装置。
【請求項３】
請求項１または２に記載した扉用の施解錠装置において、
前記第１ギアは前記ハブ基体の一端側の外周部に設け、前記第２ギアは前記ハブ基体の他端側の外周部に設けことを特徴とする扉用の施解錠装置。
【請求項４】
請求項１〜３のいずれかに記載した扉用の施解錠装置において、
前記電動機構の動作状態を検出する検出スイッチと、
前記第１ギアに形成したギア側突起の旋回に連動し  前記検出スイッチを切り換え動作させる検出レバーとを備えたことを特徴とする扉用の施解錠装置。
【発明の詳細な説明】
【技術分野】
【０００１】
この発明は、手動操作部材または電動機構によってハブを回転させてデッドボルトを進退させる扉用の施解錠装置に関し、特にハブを改良して可能なる限り小型化に適する施解錠装置を提供するものである。
【背景技術】
【０００２】
図８は、従来例として示した扉用の施解錠装置の断面図で、扉の開放をロックした施錠状態を示している。
この施解錠装置は、モータ１１を含む電動機構を備えており、モータ１１が携帯機からの無線信号に応動して始動することにより、モータ出力軸に設けたウオーム１２に噛合したウオームホイール１３が連動回転し、これより、ウオームホイール１３と一体回転するギア１４に噛合したギア１５、１６が連動され、支持軸１７を支点に旋回する。
【０００３】
この結果、ギア１６にラック１８を噛合させたスライダ１９が左方向に移動するため、デッドボルト２０のピン２１がスライダ１９の長孔２２の端部で駆動されて左方向に移動する。
これにより、デッドボルト２０が後退して錠箱2３のケース２４内に没入し、扉の開放を可能にする解錠状態となる。
【０００４】
施解錠装置を施錠する場合には、モータ１１を逆転駆動すれば、各ギアが上記とは逆動作することから、スライダ１９が右方向に移動し、スライダ１９に連動されたデッドボルト２０が図示状態に進出移動する。
したがって、デッドボルト２０が扉枠のストライク（凹形孔）に突入し、扉の開放がロックされた施錠状態となる。
【０００５】
また、上記した施解錠装置は、支持軸１７の部所にシリンダ錠やサムターンを配設することで、これらシリンダ錠やサムターンからなる手動操作部材の操作によってデッドボルト２０を上記同様に進退させ施解錠することができる。
なお、手動操作部材による操作時には、ウオームホイール１３とギア１４との間のクラッチ板２５、２６の電磁結合が解かれ、クラッチが非連結となる。
【０００６】
さらに、ケース２４内には検出スイッチ２７が設けてあり、この検出スイッチ２７がスライダ１９の&#64085;片２８によって動作するようになっている。
すなわち、検出スイッチ２７によってスライダ１９の移動位置を検出し、モータ制御する構成となっている。
【先行技術文献】
【特許文献】
【０００７】
【特許文献１】実公平７−６４５７号公報
【発明の概要】
【発明が解決しようとする課題】
【０００８】
上記した従来の施解錠装置は、モータ１１とデッドボルト２０との連動系が、ウオーム１２、ウオームホイール１３、ギア１４、１５、１６、スライダ１９などの多くの部品で構成されているため、部品の配設スペースが広くなり、そのため、錠箱２３が大きくなり施解錠装置の小型化には適していない。
【０００９】
また、多くのギアを備える連動系を有する構成であるため、シリンダ錠などの手動操作の操作性が好ましくなかった。
そこで、本発明では可能なる限り小型化に適し、また、操作性に優れる扉用の施解錠装置を提供することを目的とする。
【課題を解決するための手段】
【００１０】
上記した目的を達成するため、本発明では第１の発明として、錠箱に備えた円筒状のハブを手動操作部材または電動機構によって回転させ、このハブの回転に連動させてデッドボルトを進退させ施解錠する扉用の施解錠装置において、
前記ハブは、円筒状のハブ基体と、このハブ基体の筒軸周り方向の外周囲に設けた第１ギア、第２ギアとで形成し、前記第１ギアは、所定の範囲で空転可能にハブ基体に取り付けると共に、前記電動機構の連動ギアに噛合させ、前記第２ギアは、ハブ基体と一体回転するように取り付けると共に、前記デッドボルトを進退させるラックギアに噛合させたことを特徴とする扉用の施解錠装置を提案する。
【００１１】
第２の発明としては、上記した第１の発明の扉用の施解錠装置において、前記ハブ基体の外周面に形成して筒軸方向に突出させた基体側突起と、前記第１ギアに形成してハブ基体の筒軸方向に突出させ、かつ、前記基体側突起に対して所定の回転角度で係合しまたは離間するギア側突起とで形成したクラッチ機構を設けたことを特徴とする扉用の施解錠装置を提案する。
【００１２】
第３の発明としては、上記した第１または第２の発明の扉用の施解錠装置において、前記第１ギアは前記ハブ基体の一端側の外周部に設け、前記第２ギアは前記ハブ基体の他端側の外周部に設けたことを特徴とする扉用の施解錠装置を提案する。
【００１３】
第４の発明としては、上記した第１〜第３の発明のいずれかの発明の扉用の施解錠装置において、前記電動機構の動作状態を検出する検出スイッチと、前記第１ギアに形成したギア側突起の旋回に連動し  前記検出スイッチを切り換え動作  させる検出レバーとを備えたことを特徴とする扉用の施解錠装置を提案する。
【発明の効果】
【００１４】
第１の発明によれば、ハブが、筒状のハブ基体と、このハブ基体の筒軸周り方向の外周囲に設けた第１ギア、第２ギアとで形成し、そして、第１ギアは、所定の範囲で空転可能にハブ基体に取り付けると共に、電動機構の連動ギアに噛合させ、第２ギアは、ハブ基体と一体回転するように取り付けると共に、デッドボルトを進退させるラックギアに噛合させてある。
【００１５】
したがって、このように構成したハブは、ハブ基体と第１、第２ギアを同軸に集約しているので、ドア厚み方向のスペースを有効活用して、錠箱のハウジング寸法(縦幅、横幅)を短縮化することができ、この結果、小型化に適する施解錠装置の提供が可能になる。
また、ハブの第２ギアによってデッドボルトを進退させるラックギアを駆動する構成としたので、デットボルトの駆動力が一定となり、その上、デッドボルトの操作感が向上し、また、静音化することができる。
【００１６】
第２の発明では、ハブ基体の外周囲にクラッチ機構を構成したので、第１、第２ギアとクラッチ機構とをハブの回転軸に沿って重ねて配置することができ、錠箱のハウジング寸法を小型化することができる
【００１７】
第３の発明は、第１ギアはハブ基体の一端側の外周部に設け、第２ギアはハブ基体の他端側の外周部に設けたことが特徴となっている。
【００１８】
第４の発明は、第１ギアに設けたギア側突起の回動に連動して起伏する検出レバーと、この検出レバーに応動してスイッチ切り換えする検出スイッチとを設けたので、電動機構を制御する検出スイッチをハブに付随して配設することができ、錠箱のハウジング寸法の短縮化に有利となる。
【図面の簡単な説明】
【００１９】
【図１】本発明の一実施形態を示す扉用の施解錠装置の分解斜視図である。
【図２】上記した施解錠装置の正面図である。
【図３】一部分を断面して示した上記施解錠装置の部分的な拡大側面図である。
【図４】上記施解錠装置に備える錠箱の内部構造（施錠状態）を示した正面図である。
【図５】解錠状態を示す図４同様の正面図である。
【図６】上記施解錠装置に備えたハブのハブ基体を示した拡大斜視図である。
【図７】上記施解錠装置に備えたハブの拡大側面図である。
【図８】従来例として示した施解錠装置の断面図である。
【発明を実施するための形態】
【００２０】
次に、本発明に係る施解錠装置の一実施形態について図面に沿って説明する。
図１〜図４に示すように、この施解錠装置４０は、扉（図示省略）に装備される錠箱４１と、扉の外側で錠箱４１に取り付けた操作錠部４２と、扉の内側で錠箱４１に取り付けられたサムターン４３とより構成してある。
【００２１】
そして、錠箱４１には、ハウジング４４によって回転可能に支持させた筒状のハブ４５と、このハブ４５の回転に応動して進退するデッドボルト４６などが設けてある。
なお、ハブ４５の内周面には筒軸方向に沿って形成した凸形部（被駆動部）４５ａが設けてある。
上記したデッドボルト４６は、進出によって扉枠に設けられたストライク（係止孔）に突入し、扉をロックして開放を阻止する。
【００２２】
その他、この錠箱４１には、図４に示すように、ハブ４５を電動駆動するアクチュエータ４７やデッドボルト４６を進退駆動するラックギア４８ａ付きの摺動体４８、アクチュエータ４７の駆動状態を検出する検出スイッチ４９と検出レバー５０、コントローラを構成する電子部品などを搭載させたプリント基板５１などが備えてある。
【００２３】
上記の操作錠部４２には、後方向きに突出させたシリンダ錠５２が設けてあり、また、表面にはシャッタを備えるキー挿入孔５３が備えてある。
上記の操作錠部４２は、図３に示すように、ハブ４５内にシリンダ錠５２を部分的に挿入させるようにして錠箱４１に取り付けてある。
なお、操作錠部４２は、図１に示す取付ネジ５４を使用してサムターン４３と共に錠箱４１に取り付ける。
【００２４】
そして、このように取り付けた操作錠部４２は、シリンダ錠５２のインナーシリンダ５５と一体回転する係合板５６をハブ４５の凸形部４５ａに係合させてあり、キーによるインナーシリンダ５５の回転にしたがってハブ４５を回転させるようになっている。
【００２５】
一方、図６は上記したハブを形成するハブ基体の拡大斜視図、図７は上記したハブ４５を拡大して示した側面図である。
これらの図面より分かる通り、ハブ４５は、円筒状のハブ基体５７と、このハブ基体５７の外周囲に設けた第１ギア５８、第２ギア５９とより形成してある。
【００２６】
具体的には、図６に示したように、ハブ基体５７の内面には、円筒軸心方向に沿って形成した被駆動部としての凸形部４５ａと、円筒軸心方向の中程となる外周面に一体形成したリング状部５７ａから円筒軸心方向に&#64085;出させた基体側突起５７ｂとが設けてある。
【００２７】
また、この金属製のハブ基体５７の一端部側５７ｃに当たる外周には、リング状に形成した第１ギア５８をハブ基５７に対して体回転可能に嵌着し、また、その他端部側５７ｄの外周にはハブ基体５７にインサート成形した樹脂製の第２ギア５９が設けてある。
なお、 第１ギア５８には円筒軸心方向に&#64085;出させたギア側突起５８ａが設けてある。
【００２８】
上記したハブ基体５７の基体側突起５７ｂと第1ギア５８のギア側突起５８ａによりクラッチ機構を構成するもので、第１ギア５８が所定の範囲で空転し、所定位置でそのギア側突起５８ａが基体側突起５７ｂに当接することでクラッチ連結となり、このクラッチ連結でハブ基体５７を介して第１ギア５８と第２ギア５９が一体的に回転する。
したがって、ギア側突起５８ａが基体側突起５７ｂに当接するまでの間はクラッチ非連結となり、第２ギア５９が第１ギア５８に連結することなくハブ基体５７と共に回転することができる。  
【００２９】
このように形成したハブ４５は、図１，図３、図４に示したように、ハブ基体５７の両端部をハウジング４４によって回転可能に支持させるようにして錠箱４１内に備えてある。
そして、このハブ４５の凸形部４５ａには、既に述べたように、シリンダ錠５２のインナーシリンダ５５に設けた係合板５６が係合可能となっており、インナーシリンダ５５の回転にしたがって凸形部４５ａが係合板５６によって駆動されることでハブ４５が回転する。
なお、サムターン４６を回転操作した場合にも上記同様にハブ４５が回転する。
【００３０】
また、ハブ４５の第１ギア５８には、電動機構であるアクチュエータ４７の連動ギア６０を噛合させてあり、アクチュエータ４７の駆動によって第１ギア５８を回転させる構成としてある。
すなわち、アクチュエータ４７の駆動により第１ギア５８がハブ基体５７に対して空転してギア側突起５８ａが基体側突起５７ｂに当接してクラッチ連結した後に第1ギア５８と第2ギア５９がバブ基体５７を伴って回転する。
【００３１】
したがって、ハブ４５が回転すると、ハブ基体５７と一体回転する第２ギア５９に噛合させたラックギア４８ａを設けた摺動体４８が摺動することから、デッドボルト４６が進出しまた退出する。
【００３２】
なお、ハブ４５がアクチュエータ４７によって駆動され回転する場合は、ギア側突起５８ａが旋回するので、ハブ４５の外周に接する支軸６２を支点に旋回可能とした検出レバー５０がこのギア側突起５８ａに連動して起伏する。
すなわち、検出レバー５０はキア側突起５８ａに乗り上げることで起動し検出スイッチ４９をＯＮさせ、また、ギア側突起５８ａから落下することで伏動して検出スイッチ４９をＯＦＦさせる。
【００３３】
したがって、アクチュエータ４７が検出スイッチ４９のＯＮによって停止制御される。
なお、アクチュエータ４７は、携帯機（図示省略）からの無線信号を受信して動作モードとなり、操作錠部４２の押しボタン６５を押下することで始動する。
【００３４】
その他、図４に示したストッパ部材６３は、進出したデッドボルト４６の一部をその先端部６３ａによって係止し、デッドボルト４６の不用意な後退（不正解錠）を防止する。
したがって、このストッパ部材６３は、デッドボルト４６が正常操作で退出する場合は、図５に示すように、その先端部６３ａがデッドボルト４６の一部から退離する。
また、スプリング６４は、デッドボルト４６を施錠位置で進出方向に、解錠位置で退出方向に付勢するものである。
【００３５】
上記したように、ハブ４５が手動操作部材（シリンダ錠５２またはサムターン４３ン）により凸形部４５ａを駆動し、または、アクチュエータ４７により第１ギア５８を駆動することにより回転させることができる。
なお、アクチュエータ４７の駆動時には、手動操作部材は係合板５６がハブ４５の凸形部４５ａとは当接しない所定の範囲で空転する構成となっている。
【００３６】
さらに、ハブ４５の回転に応動して第２ギア５９がラックギア４８ａを駆動するので、摺動体４８が摺動し、図４に示すように、デッドボルト４６が摺動体４８に連動して進出し施錠状態となり、また、図５に示すように退出して解錠状態となる。
【００３７】
本実施形態から分かるように、ハブ４５が、ハブ基体５７の外周囲に設けた第１ギア５８、第２ギア５９と、基体側突起５７ｂとギア側突起５８ａとから形成したクラッチ機構とから構成されているので、第１ギア５８、第２ギア５９とクラッチ機構がハブ基体５７と同じ円軸上に集約して形成することができるため、ハブ４５がコンパクトなものとなる他、ハブ４５とアクチュエータ４７との連動系、ハブ４５とデッドボルト４６を進退させるラックギア４８ａとの連動系の構成が簡単化されるため、錠箱４１の寸法の短縮化が可能になり、この結果、小型化に適する扉用の施解錠装置となる。
【００３８】
また、ハブ４５の第２ギア５９によってデッドボルト４６を進退させるラックギア４８ａを駆動する構成としたので、デットボトル４６の駆動力が一定となり、その上、デッドボルト４６の操作感が向上し、また、静音化することができる。
【００３９】
以上、好ましい一実施形態について説明したが、ハブ４５については、ハブ基体５１を金属（ダイカスト）で形成し、第１ギア５８と第２ギア５９を合成樹脂材で形成することができ、ハブ基体５７、第1ギア５８、第2ギア５９を全て合成樹脂材で形成することもできる。
なお、第２ギア５９については、ハブ基体５１にインサート成形することなく、別体にリング状ギアとして形成してハブ基体５１に嵌合固定させることもできる。
【産業上の利用可能性】
【００４０】
扉用の施解錠装置や車両用ドアの施解錠装置として適用することができる。
【符号の説明】
【００４１】
４０  施解錠装置
４１  錠箱
４２  操作錠部
４３  サムターン
４４  ハウジング
４５  ハブ
４５ａ  凸形部
４６  デッドボルト
４７  アクチュエータ
４８  摺動体
４８ａ  ラックギア
４９  検出スイッチ
５０  検出レバー
５２  シリンダ錠
５６  係合板
５７  ハブ基体
５７ｂ  基体側突起
５８  第１ギア
５８ａ  ギア側突起
５９  第２ギア
６０  連動ギア
【図１】
0006687284.tif 000002
【図２】
0006687284.tif 000003
【図３】
0006687284.tif 000004
【図４】
0006687284.tif 000005
【図５】
0006687284.tif 000006
【図６】
0006687284.tif 000007
【図７】
0006687284.tif 000008
【図８】
0006687284.tif 000009